(57)【要約】【課題】画像形成対象の記録媒体について、該記録媒体に最適な色変換プロファイルを的確且つ容易に選択する。【解決手段】画像処理装置１２の記憶部１６は、標準データと用紙データとを紙データとして記憶する。取得部２８は、画像形成対象の記録媒体の銘柄及び該記録媒体の坪量を取得する。抽出部３０は、取得された銘柄を含む紙データを抽出する。第１設定部４０は、取得された坪量を含む標準データに含まれるプロファイルＩＤに対応する色変換プロファイルを設定する。第３設定部４４は、測定部２２によって測定された分光特性に最も近い分光特性を含む紙データに含まれるプロファイルＩＤに対応する色変換プロファイルを設定する。切替部３２は、抽出部３０の抽出結果に基づいて、第１設定部４０、及び第３設定部４４の１つを有効とする。【選択図】図１
2013162242.tif 000002
【特許請求の範囲】
【請求項１】
銘柄、坪量、分光特性、色変換プロファイル、及び該色変換プロファイルを一意に特定する識別情報を含み、画像形成したときの色再現特性が既知の標準記録媒体を特定する標準データと、銘柄、坪量、分光特性、及び前記識別情報を含み、当該画像形成装置で画像形成した記録媒体を特定する用紙データと、を紙データとして記憶する記憶手段と、
画像形成対象の記録媒体の銘柄及び該記録媒体の坪量を取得する取得手段と、
取得された銘柄を含む前記紙データを抽出する抽出手段と、
抽出された前記紙データの内、取得された坪量を含む紙データに含まれる前記 識別情報に対応する色変換プロファイルを、該記録媒体の色変換プロファイルとして設定する第１設定手段と、
前記記憶手段に記憶されている前記紙データの内、分光特性を測定する測定手段によって測定された該記録媒体の分光特性に最も近い分光特性を含む紙データに含まれる前記識別情報に対応する色変換プロファイルを、該記録媒体の色変換プロファイルとして設定する第３設定手段と、
前記抽出手段の抽出結果に基づいて、前記第１設定手段、及び前記第３設定手段の内の１つを有効とする切替手段と、
を備えた画像処理装置。
【請求項２】
抽出された前記紙データの内、取得された坪量とは異なり且つ取得された坪量に最も近い坪量を含む紙データに含まれる前記識別情報に対応する色変換プロファイルを、該記録媒体の色変換プロファイルとして設定する第２設定手段を更に備え、
前記切替手段は、前記抽出手段の抽出結果に基づいて、前記第１設定手段、前記第２設定手段、及び前記第３設定手段の内の１つを有効とする、請求項１に記載の画像処理装置。
【請求項３】
前記切替手段は、
抽出した前記紙データに、取得した坪量が含まれる場合に、前記第１設定手段を選択する、請求項１または請求項２に記載の画像処理装置。
【請求項４】
前記切替手段は、
前記抽出手段が複数の前記紙データを抽出し、抽出された複数の前記紙データに取得された坪量が含まれず、且つ、取得された坪量より大きい坪量または取得された坪量より小さい坪量を含む前記紙データが、抽出された複数の前記紙データに含まれない場合に、前記第２設定手段を選択する、請求項２または請求項３に記載の画像処理装置。
【請求項５】
前記切替手段は、
前記抽出手段が複数の前記紙データを抽出し、抽出された複数の前記紙データに取得された坪量が含まれず、且つ、
抽出された複数の前記紙データにおける、取得された坪量より大きく且つ取得された坪量に最も近い坪量を含む前記紙データに含まれる前記識別情報に対応する前記色変換プロファイルと、取得された坪量より小さく且つ取得された坪量に最も近い坪量を含む前記紙データに含まれる前記識別情報に対応する前記色変換プロファイルと、が異なる場合に、
前記第２設定手段を選択する、請求項２〜請求項４の何れか１項に記載の画像処理装置。
【請求項６】
前記切替手段は、
前記抽出手段が複数の前記紙データを抽出し、抽出された複数の前記紙データに取得された坪量が含まれず、且つ、
抽出された複数の前記紙データにおける、取得された坪量より大きく且つ取得された坪量に最も近い坪量を含む前記紙データに含まれる前記識別情報に対応する前記色変換プロファイルと、取得された坪量より小さく且つ取得された坪量に最も近い坪量を含む前記紙データに含まれる前記識別情報に対応する前記色変換プロファイルと、が同じである場合に、
前記第１設定手段を選択する、請求項１〜請求項５の何れか１項に記載の画像処理装置。
【請求項７】
前記切替手段は、
前記抽出手段が、取得された銘柄を含む前記紙データを抽出しなかった場合に、前記第３設定手段を選択する、請求項１〜請求項６の何れか１項に記載の画像処理装置。
【請求項８】
前記第１設定手段、前記第２設定手段、及び前記第３設定手段の内、有効とされた設定手段によって設定された色変換プロファイルを用いて、前記用紙データを作成する作成手段を更に備えた、請求項２〜請求項７の何れか１項に記載の画像処理装置。
【請求項９】
記憶手段と、前記記憶手段にネットワークを介して接続された画像処理装置と、を含む画像処理システムであって、
前記記憶手段は、
銘柄、坪量、分光特性、色変換プロファイル、及び該色変換プロファイルを一意に特定する識別情報を含み、画像形成したときの色再現特性が既知の標準記録媒体を特定する標準データと、銘柄、坪量、分光特性、及び前記識別情報を含み、当該画像形成装置で画像形成した記録媒体を特定する用紙データと、を紙データとして記憶し、
前記画像処理装置は、
画像形成対象の記録媒体の銘柄及び該記録媒体の坪量を取得する取得手段と、
取得された銘柄を含む前記紙データを抽出する抽出手段と、
抽出された前記紙データの内、取得された坪量を含む紙データに含まれる前記識別情報に対応する色変換プロファイルを、該記録媒体の色変換プロファイルとして設定する第１設定手段と、
前記記憶手段に記憶されている前記紙データの内、分光特性を測定する測定手段によって測定された該記録媒体の分光特性に最も近い分光特性を含む紙データに含まれる前記識別情報に対応する色変換プロファイルを、該記録媒体の色変換プロファイルとして設定する第３設定手段と、
前記抽出手段の抽出結果に基づいて、前記第１設定手段、及び前記第３設定手段の内の１つを有効とする切替手段と、
を備えた、
画像処理システム。
【発明の詳細な説明】
【技術分野】
【０００１】
本発明は、画像処理装置、及び画像処理システムに関する。
【背景技術】
【０００２】
カラープリンタやカラー複写機などにおいては、入力される画像データに対して再現色の統一を図るための画像処理が実施される。このような画像処理では、画像形成対象の記録媒体としてどのような記録媒体を使用する場合であっても、理想的には常に同じ色が再現されることが求められる。このため、色再現特性が既知の記録媒体である複数の標準記録媒体について、画像データの色変換に用いる色変換プロファイルを事前に作成することが行われている。そして、色変換プロファイルと、標準記録媒体の分光特性と、を標準記録媒体毎に予め記憶する。
【０００３】
そして、画像形成に用いる記録媒体の分光特性を測定し、測定した分光特性に近い分光特性を有する標準用紙の色変換プロファイルを、画像形成に用いる記録媒体の色変換プロファイルとして用いることが知られている（例えば、特許文献１参照。）。
【発明の概要】
【発明が解決しようとする課題】
【０００４】
ここで、同じ銘柄の記録媒体であっても、坪量が異なることで、分光特性が異なる場合がある。このため、色再現性の向上には、全ての記録媒体について分光特性を測定する必要がある。しかし、全ての記録媒体の分光特性を測定すると、処理速度の低下等を招く。一方、銘柄ごとに分光特性を測定する方法では、色再現性の向上を実現することは困難である。このように、従来では、このような坪量を加味した色変換プロファイルの選択はなされていなかった。
【０００５】
本発明は、上記に鑑みてなされたものであって、画像形成対象の記録媒体について、該記録媒体に最適な色変換プロファイルを的確且つ容易に選択することのできる、画像処理装置、及び画像処理システムを提供することを目的とする。
【課題を解決するための手段】
【０００６】
本発明の画像処理装置は、記憶手段と、取得手段と、抽出手段と、第１設定手段と、第３設定手段と、切替手段と、を備える。記憶手段は、銘柄、坪量、分光特性、色変換プロファイル、及び該色変換プロファイルを一意に特定する識別情報を含み、画像形成したときの色再現特性が既知の標準記録媒体を特定する標準データと、銘柄、坪量、分光特性、及び前記識別情報を含み、当該画像形成装置で画像形成した記録媒体を特定する用紙データと、を紙データとして記憶する。取得手段は、画像形成対象の記録媒体の銘柄及び該記録媒体の坪量を取得する。抽出手段は、取得された銘柄を含む前記紙データを抽出する。第１設定手段は、抽出された前記紙データの内、取得された坪量を含む紙データに含まれる前記識別情報に対応する色変換プロファイルを、該記録媒体の色変換プロファイルとして設定する。第３設定手段は、前記記憶手段に記憶されている前記紙データの内、分光特性を測定する測定手段によって測定された該記録媒体の分光特性に最も近い分光特性を含む紙データに含まれる前記識別情報に対応する色変換プロファイルを、該記録媒体の色変換プロファイルとして設定する。切替手段は、前記抽出手段の抽出結果に基づいて、前記第１設定手段、及び前記第３設定手段の内の１つを有効とする。
【０００７】
本発明の画像処理システムは、記憶手段と、前記記憶手段にネットワークを介して接続された画像処理装置と、を含む。記憶手段は、銘柄、坪量、分光特性、色変換プロファイル、及び該色変換プロファイルを一意に特定する識別情報を含み、画像形成したときの色再現特性が既知の標準記録媒体を特定する標準データと、銘柄、坪量、分光特性、及び前記識別情報を含み、当該画像形成装置で画像形成した記録媒体を特定する用紙データと、を紙データとして記憶する。画像処理装置は、取得手段と、抽出手段と、第１設定手段と、第３設定手段と、切替手段と、を備える。取得手段は、画像形成対象の記録媒体の銘柄及び該記録媒体の坪量を取得する。抽出手段は、取得された銘柄を含む前記紙データを抽出する。第１設定手段は、抽出された前記紙データの内、取得された坪量を含む紙データに含まれる前記識別情報に対応する色変換プロファイルを、該記録媒体の色変換プロファイルとして設定する。第３設定手段は、前記記憶手段に記憶されている前記紙データの内、分光特性を測定する測定手段によって測定された該記録媒体の分光特性に最も近い分光特性を含む紙データに含まれる前記識別情報に対応する色変換プロファイルを、該記録媒体の色変換プロファイルとして設定する。切替手段は、前記抽出手段の抽出結果に基づいて、前記第１設定手段、及び前記第３設定手段の内の１つを有効とする。
【発明の効果】
【０００８】
本発明によれば、画像形成対象の記録媒体について、該記録媒体に最適な色変換プロファイルを的確且つ容易に選択することのできる、画像処理装置、及び画像処理システムを提供することができるという効果を奏する。
【図面の簡単な説明】
【０００９】
【図１】図１は、本実施の形態の画像処理システムを示す図である。
【図２】図２は、標準データ及び用紙データのデータ構造の一例を示す模式図である。
【図３】図３は、画像処理の手順を示すフローチャートである。
【図４】図４は、画像処理の手順を示すフローチャートである。
【図５】図５は、画像処理システムを示す模式図である。
【発明を実施するための形態】
【００１０】
以下に添付図面を参照して、本実施の形態の画像処理装置、及び画像処理システムの一の実施の形態を詳細に説明する。
【００１１】
図１は、本実施の形態の画像処理システムを示す図である。図１に示すように、本実施の形態の画像処理システム１０は、画像処理装置１２ 、及び画像形成装置１４を備える。
【００１２】
画像形成装置１４は、画像処理装置１２から画像データを取得し記録媒体に画像を形成する。画像形成装置１４は、画像データに基づいて記録媒体に画像を形成する装置であればよく、公知の装置を用いればよい。例えば、画像形成装置１４には、電子写真方式の画像形成装置や、インクジェット方式の画像形成装置を用いる。
【００１３】
画像処理装置１２は、記憶部１６、入力部１８、表示部２０、測定部２２、通信部２４、及び制御部２６を備える。
【００１４】
記憶部１６は、ハードディスクドライブ装置（ＨＤＤ）等の記憶媒体である。記憶部１６は、標準データ、及び用紙データを記憶する。
【００１５】
図２は、記憶部１６に記憶される標準データ及び用紙データのデータ構造の一例を示す模式図である。図２に示すように、記憶部１６は、標準データ１６Ａ及び用紙データ１６Ｂを、紙データ１７として記憶する。
【００１６】
標準データ１６Ａは、標準記録媒体を特定するための各種データであり、各標準記録媒体の製造会社等から提供される。標準記録媒体とは、画像形成したときの色再現特性が既知の記録媒体である。標準データ１６Ａは、銘柄、坪量、及び用紙種を用紙特定情報として含むと共に、分光特性、色変換プロファイル、プロファイルＩＤ、及びエンジン制御パラメータを、標準記録媒体毎に予め記憶する。
【００１７】
銘柄とは、標準記録媒体の商品名等であり、各標準記録媒体の製造会社等によって付与される。坪量は、標準記録媒体の１ｍ２当たりの重量（ｇ／ｍ２）を示す。用紙種とは、標準記録媒体の種類を示す。用紙種には、例えば、コート紙、マット紙、普通紙、再生紙等がある。分光特性は、標準記録媒体について、予め定められた条件下で測定された分光特性である。色変換プロファイルは、画像データの色変換に用いるプロファイルである。該色変換プロファイルを用いて画像データの色変換を行ない、色変換された画像データを用いて標準記録媒体に画像形成することで、目的とする色再現性の画像を形成することができる。プロファイルＩＤは、色変換プロファイルを一意に特定するための識別情報である。エンジン制御パラメータは、画像形成装置１４における装置設定等に用いるデータである。エンジン制御パラメータとしては、例えば、画像形成装置１４が電子写真方式である場合には、標準記録媒体に画像形成するときの定着温度が挙げられる。
【００１８】
本実施の形態では、記憶部１６は、複数の標準データ１６Ａを予め記憶している。なお、標準データ１６Ａには、各標準データ１６Ａによって特定される標準記録媒体の製造会社から提供されたデータを用いればよい。
【００１９】
用紙データ１６Ｂは、画像形成装置１４で画像形成した記録媒体を特定するための各種データである。用紙データ１６Ｂは、銘柄、坪量、及び用紙種を用紙特定情報として含むと共に、分光特性、プロファイルＩＤ、及びエンジン制御パラメータ等を、記録媒体毎に記憶する。なお、用紙データ１６Ｂは、詳細を後述する制御部２６で作成され、記憶部１６に記憶される。なお、用紙データ１６Ｂに含まれるプロファイルＩＤは、記憶部１６に格納されている何れかの標準データ１６Ａに含まれるプロファイルＩＤと一致する。すなわち、用紙データ１６Ｂに含まれるプロファイルＩＤを含む、標準データ１６Ａにおける色変換プロファイルは、該用紙データ１６Ｂによって特定される記録媒体の色変換プロファイルとして流用することを意味する。
【００２０】
なお、記憶部１６に記憶されている標準データ１６Ａ及び用紙データ１６Ｂを総称して、これらを区別なく説明する場合には、紙データ１７と称して説明する。
【００２１】
図１に戻り、説明を続ける。入力部１８は、ユーザの操作指示によって、画像形成対象の記録媒体の銘柄、及び坪量等の各種データをユーザから受け付ける。入力部１８としては、例えば、マイク等の音声認識装置、マウス、ボタン、リモコン、及びキーボード等が挙げられる。
【００２２】
表示部２０は、各種データを表示する。本実施の形態では、表示部２０は、設定可能な色変換プロファイルの一欄等を表示する（詳細後述）。表示部２０には、例えば、ＬＣＤ（Ｌｉｑｕｉｄ  Ｃｒｙｓｔａｌ  Ｄｉｓｐｌａｙ）等の公知の表示装置を用いる。
【００２３】
測定部２２は、記録媒体の分光特性を測定する。測定部２２は、光を照射して記録媒体の分光特性を測定する公知の測定装置を用いればよい。
【００２４】
通信部２４は、入出力インターフェイスである。通信部２４は、図示を省略する外部装置（例えば、ＰＣ（パーソナルコンピュータ）等）との間で、インターネット等の通信回線を介して各種データを送受信する。
【００２５】
これらの記憶部１６、表示部２０、測定部２２、及び通信部２４は、制御部２６に電気的に接続されている。制御部２６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、画像処理装置１２全体を制御する。
【００２６】
制御部２６は、取得部２８、抽出部３０、切替部３２、設定部３４、作成部３６、及び印刷処理部３８を備える。
【００２７】
取得部２８は、画像形成対象の記録媒体の坪量及び該記録媒体の銘柄を、入力部１８から取得する。抽出部３０は、取得部２８で取得された銘柄を含む紙データ１７ を、記憶部１６から抽出する。
【００２８】
設定部３４は、第１設定部４０、第２設定部４２、及び第３設定部４４を含む。
【００２９】
第１設定部４０は、抽出部３０で抽出された紙データ１７の内、取得部２８で取得された銘柄を含む紙データ１７に含まれるプロファイルＩＤに対応する色変換プロファイルを、画像形成対象の記録媒体の色変換プロファイルとして設定する。また、第１設定部４０は、切替部３２からプロファイルＩＤを取得した場合には、取得したプロファイルＩＤに対応する色変換プロファイルを、画像形成対象の記録媒体の色変換プロファイルとして設定する。
【００３０】
第２設定部４２は、抽出部３０で抽出された紙データ１７の内、取得部２８で取得された坪量とは異なり且つ取得された坪量に最も近い坪量を含む紙データ１７に含まれるプロファイルＩＤに対応する色変換プロファイルを、画像形成対象の記録媒体の色変換プロファイルとして設定する。
【００３１】
詳細には、第２設定部４２は、決定部４２Ａ、出力部４２Ｂ、及び設定部４２Ｃを含む。決定部４２Ａは、抽出部３０で抽出された紙データ１７の内、取得部２８で取得された坪量とは異なり、且つ取得された坪量に最も近い坪量を含む紙データ１７に含まれるプロファイルＩＤに対応する色変換プロファイルを、推奨色変換プロファイルとして決定する。出力部４２Ｂは、決定部４２Ａで決定された推奨色変換プロファイルの一欄を、表示部２０に表示する。設定部４２Ｃは、出力部４２Ｂが表示部２０に表示した推奨色変換プロファイルの内の１つがユーザによって選択されたときに、選択された推奨色変換プロファイルを、記録媒体の色変換プロファイルとして設定する。なお、ユーザによる選択は、入力部１８を介して、表示部２０に表示された推奨色変換プロファイルの内の１つを示す情報が入力されることで、行われる。
【００３２】
第３設定部４４は、記憶部１６に記憶されている紙データ１７の内、測定部２２によって測定された画像形成対象の記録媒体の分光特性に最も近い分光特性を含む紙データ１７に含まれるプロファイルＩＤに対応する色変換プロファイルを、記録媒体の色変換プロファイルとして設定する。
【００３３】
第３設定部４４は、取得部４４Ａ、選択部４４Ｂ、及び設定部４４Ｃを備える。取得部４４Ａは、測定部２２から、記録媒体の分光特性を取得する。選択部４４Ｂは、取得部４４Ａで取得した分光特性を含む紙データ１７を、記憶部１６から選択する。設定部４４Ｃは、選択部４４Ｂで選択された紙データ１７に含まれるプロファイルＩＤに対応する色変換プロファイルを、画像形成対象の記録媒体の色変換プロファイルとして設定する。
【００３４】
切替部３２は、抽出部３０による紙データ１７の抽出結果に基づいて、設定部３４に含まれる複数の設定部（第１設定部４０、第２設定部４２、及び第３設定部４４）の何れか１つを有効に切り替える。
【００３５】
詳細には、切替部３２は、抽出部３０によって抽出された、取得部２８で取得された銘柄を含む紙データ１７に、該取得部２８で取得された坪量を含む紙データ１７が含まれている場合には、第１設定部４０を有効に切り替える。
【００３６】
また、切替部３２は、抽出部３０が、取得部２８で取得された坪量を含む紙データ１７を抽出しなかった場合には、第３設定部４４を有効に切り替える。抽出部３０が紙データ１７を抽出しない場合とは、記憶部１６に、取得部２８で取得された銘柄を含む標準データ１６Ａや用紙データ１６Ｂが記憶されていない場合である。
【００３７】
また、切替部３２は、抽出部３０によって抽出された複数の紙データ１７に、取得部２８で取得された坪量を含む紙データ１７が含まれない場合には、以下の処理を行う。この場合、まず、切替部３２は、抽出部３０によって抽出された複数の紙データ１７に、坪量の異なる紙データ１７が２以上含まれない場合には、第２設定部４２を選択する。
【００３８】
また、切替部３２は、抽出部３０によって抽出された複数の紙データ１７に、坪量の異なる紙データ１７が２以上含まれ、且つ、取得部２８で取得された坪量より大きい坪量、及び取得部２８で取得された坪量より小さい坪量の少なくとも一方を含む紙データ１７が含まれない場合には、第２設定部４２を選択する。
【００３９】
また、切替部３２は、抽出部３０によって抽出された複数の紙データ１７に、坪量の異なる紙データ１７が２以上含まれ、且つ、取得部２８で取得された坪量より大きい坪量、及び取得部２８で取得された坪量より小さい坪量の少なくとも一方を含む紙データ１７が含まれ、且つ、該大小の坪量の各々を含む紙データ１７に含まれるプロファイルＩＤに対応する色変換プロファイルが異なる場合には、第２設定部４２を選択する。
【００４０】
さらに、切替部３２は、抽出部３０によって抽出された複数の紙データ１７に、坪量の異なる紙データ１７が２以上含まれ、且つ、取得部２８で取得された坪量より大きい坪量、及び取得部２８で取得された坪量より小さい坪量の少なくとも一方を含む紙データ１７が含まれ、且つ、該大小の坪量の各々を含む紙データ１７に含まれるプロファイルＩＤに対応する色変換プロファイルが同じである場合には、第１設定部４０を選択する。なお、この場合には、切替部３２は、該同じ色変換プロファイルのプロファイルＩＤを、第１設定部４０へ出力すると共に、第１設定部４０を選択する。
【００４１】
作成部３６は、第１設定部４０、第２設定部４２、及び第３設定部４４の内、切替部３２で有効に切り替えられた１つの設定部で設定された色変換プロファイルを用いて、用紙データ１６Ｂを作成する。具体的には、作成部３６は、設定部３４で設定された色変換プロファイルに対応するプロファイルＩＤと、取得部２８で取得された坪量及び銘柄と、エンジン制御パラメータと、を含む用紙データ１６Ｂを作成する。また、入力部１８から取得部２８を介して用紙種を取得した場合には、この用紙種も含む用紙データ１６Ｂを作成する。なお、作成部３６は、図示を省略するメモリに、坪量や用紙種等に対応づけてエンジン制御パラメータを予め記憶する。そして、取得した坪量及び用紙種に対応するエンジン制御パラメータを該メモリから読み取り、用紙データ１６Ｂの作成に用いればよい。そして、作成部３６は、作成した用紙データ１６Ｂを、記憶部１６に記憶する。
【００４２】
印刷処理部３８は、形成対象の画像の画像データを、設定部３４で設定された色変換プロファイルを用いて色変換し、画像形成装置１４へ出力する。
【００４３】
印刷処理部３８は、取得部４６、色変換部４８、色変換部５０、及び出力部５２を備える。取得部４６は、通信部２４を介して外部装置から、形成対象の画像の画像データを取得する。色変換部４８は、例えば、外部装置から取得したＲＧＢの画像データを、ＰＣＳ（Ｐｒｏｆｉｌｅ  Ｃｏｎｎｅｃｔｉｏｎ  Ｓｐａｃｅ）と呼ばれるデバイス非依存の色空間を経由して、ＣＭＹＫの画像データに変換する。色変換部５０は、該ＣＭＹＫの画像データを、設定部３４で設定された色変換プロファイルを用いて色変換する。出力部５２は、色変換部５０で色変換された画像データと、画像形成対象の記録媒体の標準データ１６Ａまたは用紙データ１６Ｂに含まれるエンジン制御パラメータを、画像形成装置１４へ出力する。
【００４４】
画像形成装置１４では、画像処理装置１２から受け付けたエンジン制御パラメータに応じた制御を行うと共に、画像処理装置１２から受け付けた画像データを用いて、画像形成対象の記録媒体に画像を形成する。
【００４５】
次に、本実施の形態の画像処理装置１２で行われる画像処理について説明する。
【００４６】
図３は、画像処理装置１２の制御部２６で行う画像処理の手順を示すフローチャートである。
【００４７】
なお、ユーザによる入力部１８の操作指示によって、画像形成対象の記録媒体の銘柄及び坪量を含むデータ（用紙種を更に含んでいてもよい）が入力され、取得部２８でこれらのデータを受け付ける。そして、抽出部３０が、取得部２８で取得された銘柄を含む紙データ１７の抽出処理を実行すると、図３に示す画像処理を実行する。
【００４８】
まず、切替部３２が、取得部２８で取得された銘柄を含む紙データ１７が抽出部３０によって抽出されたか否かを判断する（ステップＳ１００）。ステップＳ１００で肯定判断すると（ステップＳ１００：Ｙｅｓ）、ステップＳ１０２へ進む。
【００４９】
ステップＳ１０２では、切替部３２が、取得部２８で取得された坪量と同じ坪量を含む標準データ１６Ａが切替部３２によって抽出されたか否かを判断する（ステップＳ１０２）。ステップＳ１０２で肯定判断すると（ステップＳ１０２：Ｙｅｓ）、ステップＳ１０４へ進む。
【００５０】
ステップＳ１０４では、切替部３２が、第１設定部４０を有効に切り替える（ステップＳ１０４）。次に、第１設定部４０が、抽出部３０で抽出された紙データ１７の内、取得部２８で取得された銘柄を含む紙データ１７に含まれるプロファイルＩＤに対応する色変換プロファイルを、画像形成対象の記録媒体の色変換プロファイルとして設定する（ステップＳ１０６）。また、第１設定部４０は、ステップＳ１１８の処理を経由することによって、切替部３２からプロファイルＩＤを取得した場合には、取得したプロファイルＩＤに対応する色変換プロファイルを、画像形成対象の記録媒体の色変換プロファイルとして設定する（ステップＳ１０６）。
【００５１】
次に、作成部３６が、第１設定部４０、第２設定部４２、及び第３設定部４４の内、切替部３２で有効に切り替えられた１つの設定部で設定された色変換プロファイルを用いて、用紙データ１６Ｂを作成する（ステップＳ１０８）。次に、作成部３６は、生成した用紙データ１６Ｂを記憶部１６に記憶する（ステップＳ１１０）。
【００５２】
次に、印刷処理部３８が、形成対象の画像の画像データを、設定部３４で設定された色変換プロファイルを用いて色変換し、画像形成装置１４へ出力する、印刷処理を実行し（ステップＳ１１２）、本ルーチンを終了する。
【００５３】
一方、上記ステップＳ１００で否定判断すると（ステップＳ１００：Ｎｏ）、ステップＳ１２４へ進む。ステップＳ１２４では、切替部３２が、第３設定部４４を有効に切り替える（ステップＳ１２４）。次に、第３設定部４４が、記憶部１６に記憶されている紙データ１７の内、測定部２２によって測定された画像形成対象の記録媒体の分光特性に最も近い分光特性を含む紙データ１７に含まれるプロファイルＩＤに対応する色変換プロファイルを、記録媒体の色変換プロファイルとして設定する（ステップＳ１２６）。そして、上記ステップＳ１０８へ進む。
【００５４】
また、一方、上記ステップＳ１０２で否定判断すると（ステップＳ１０２：Ｎｏ）、ステップＳ１１４へ進む。ステップＳ１１４では、切替部３２が、抽出部３０によって抽出された複数の紙データ１７に、坪量の異なる紙データ１７が２以上含まれるか否かを判断する（ステップＳ１１４）。ステップＳ１１４で否定判断すると（ステップＳ１１４：Ｎｏ）、後述するステップＳ１２０へ進む。ステップＳ１１４で肯定判断すると（ステップＳ１１４：Ｙｅｓ）、ステップＳ１１６へ進む。
【００５５】
ステップＳ１１６では、切替部３２は、抽出部３０で抽出された複数の紙データ１７に、取得部２８で取得された坪量より大きい坪量を含む紙データ１７、及び取得部２８で取得された坪量より小さい坪量を含む紙データ１７が含まれているか否かを判断する（ステップＳ１１６）。ステップＳ１１６で否定判断すると（ステップＳ１１６：Ｎｏ）、後述するステップＳ１２０へ進む。ステップＳ１１６で肯定判断すると（ステップＳ１１６：Ｙｅｓ）、ステップＳ１１８へ進む。
【００５６】
ステップＳ１１８では、切替部３２は、取得部２８で取得された坪量より大きい坪量を含む紙データ１７、及び取得部２８で取得された坪量より小さい坪量を含む紙データ１７に含まれるプロファイルＩＤに対応する色変換プロファイルが同じであるか否かを判断する（ステップＳ１１８）。なお、切替部３２は、取得部２８で取得された坪量より大きい坪量を含む紙データ１７が複数有る場合には、取得部２８で取得された坪量より大きく且つ最も該坪量に近い坪量を含む紙データ１７に含まれるプロファイルＩＤに対応する色変換プロファイルを、ステップＳ１１８の判断対象に用いる。同様に、切替部３２は、取得部２８で取得された坪量より小さい坪量を含む紙データ１７が複数有る場合には、取得部２８で取得された坪量より小さく且つ最も該坪量に近い坪量を含む紙データ１７に含まれるプロファイルＩＤに対応する色変換プロファイルを、ステップＳ１１８の判断対象に用いる。
【００５７】
ステップＳ１１８で肯定判断すると（ステップＳ１１８：Ｙｅｓ）、該ステップＳ１１８で同じと判断した色変換プロファイルのプロファイルＩＤを第１設定部４０へ出力すると共に、上記ステップＳ１０４へ進む。
【００５８】
一方、上記ステップＳ１１８で否定判断すると（ステップＳ１１８：Ｎｏ）、ステップＳ１２０へ進む。
【００５９】
ステップＳ１２０では、切替部３２は、第２設定部４２を有効に切り替える（ステップＳ１２０）。次に、第２設定部４２が、色変換プロファイルを選択する（ステップＳ１２２）。第２設定部４２による色変換プロファイルの選択は、詳細を上述したため、ここでは記載を省略する。そして、上記ステップＳ１０８へ進む。
【００６０】
以上説明したように、本実施の形態の画像処理装置１２では、制御部２６が、第１設定部４０、第２設定部４２、及び第３設定部４４を含む。そして、第１設定部４０は、抽出部３０で抽出された紙データ１７の内、取得部２８で取得された銘柄を含む紙データ１７に含まれるプロファイルＩＤに対応する色変換プロファイルを、画像形成対象の記録媒体の色変換プロファイルとして設定する。また、第１設定部４０は、切替部３２からプロファイルＩＤを取得した場合には、取得したプロファイルＩＤに対応する色変換プロファイルを、画像形成対象の記録媒体の色変換プロファイルとして設定する。
【００６１】
また、第２設定部４２は、抽出部３０で抽出された紙データ１７の内、取得部２８で取得された坪量とは異なり且つ取得された坪量に最も近い坪量を含む紙データ１７に含まれるプロファイルＩＤに対応する色変換プロファイルを、画像形成対象の記録媒体の色変換プロファイルとして設定する。
【００６２】
詳細には、第２設定部４２は、決定部４２Ａ、出力部４２Ｂ、及び設定部４２Ｃを含む。決定部４２Ａは、抽出部３０で抽出された紙データ１７の内、取得部２８で取得された坪量とは異なり、且つ取得された坪量に最も近い坪量を含む紙データ１７に含まれるプロファイルＩＤに対応する色変換プロファイルを、推奨色変換プロファイルとして決定する。出力部４２Ｂは、決定部４２Ａで決定された推奨色変換プロファイルの一欄を、表示部２０に表示する。設定部４２Ｃは、出力部４２Ｂが表示部２０に表示した推奨色変換プロファイルの内の１つがユーザによって選択されたときに、選択された推奨色変換プロファイルを、記録媒体の色変換プロファイルとして設定する。なお、ユーザによる選択は、入力部１８を介して、表示部２０に表示された推奨色変換プロファイルの内の１つを示す情報が入力されることで、行われる。
【００６３】
第３設定部４４は、記憶部１６に記憶されている紙データ１７の内、測定部２２によって測定された画像形成対象の記録媒体の分光特性に最も近い分光特性を含む紙データ１７に含まれるプロファイルＩＤに対応する色変換プロファイルを、記録媒体の色変換プロファイルとして設定する。
【００６４】
そして、切替部３２は、抽出部３０による紙データ１７の抽出結果に基づいて、設定部３４に含まれる複数の設定部（第１設定部４０、第２設定部４２、及び第３設定部４４）の何れか１つを有効に切り替える。
【００６５】
従って、本実施の形態の画像処理装置１２では、同じ銘柄であっても坪量の異なる記録媒体を画像形成対象とする場合であっても、画像形成対象の記録媒体に最適な色変換プロファイルを的確且つ容易に選択することができる。
【００６６】
ここで、同じ銘柄であっても坪量の異なる記録媒体では、分光特性が大きく異なる場合があった。一方、本実施の形態の画像処理装置１２では、銘柄及び坪量の双方に基づいて、切替部３２が第１設定部４０、第２設定部４２、及び第３設定部４４の何れか１つを有効に切り替える。このため、本実施の形態の画像処理装置１２では、画像形成対象の記録媒体に最適な色変換プロファイルを的確且つ容易に選択することができる。
【００６７】
また、坪量違いの有無にかかわらず、画像形成対象の全ての記録媒体の分光特性を測定することなく、最適な色変換プロファイルを選択するので、本実施の形態の画像処理装置１２では、画像形成対象の記録媒体に最適な色変換プロファイルを的確且つ容易に選択することができる。
【００６８】
また、画像処理装置１２では、切替部３２が、抽出部３０によって抽出された複数の紙データ１７に、取得部２８で取得された坪量を含む紙データ１７が含まれない場合には、以下の処理を行う。まず、切替部３２は、抽出部３０によって抽出された複数の紙データ１７に、坪量の異なる紙データ１７が２以上含まれない場合には、第２設定部４２を選択する。また、切替部３２は、抽出部３０によって抽出された複数の紙データ１７に、坪量の異なる紙データ１７が２以上含まれ、且つ、取得部２８で取得された坪量より大きい坪量、及び取得部２８で取得された坪量より小さい坪量の少なくとも一方を含む紙データ１７が含まれない場合には、第２設定部４２を選択する。また、切替部３２は、抽出部３０によって抽出された複数の紙データ１７に、坪量の異なる紙データ１７が２以上含まれ、且つ、取得部２８で取得された坪量より大きい坪量、及び取得部２８で取得された坪量より小さい坪量の少なくとも一方を含む紙データ１７が含まれ、且つ、該大小の坪量の各々を含む紙データ１７に含まれるプロファイルＩＤに対応する色変換プロファイルが異なる場合には、第２設定部４２を選択する。
【００６９】
このため、同じ銘柄であっても坪量の異なる記録媒体を画像形成対象とする場合であっても、画像形成対象の記録媒体に最適な色変換プロファイルを的確且つ容易に選択することができる。
【００７０】
また、本実施の形態の画像処理装置１２では、取得部２８で取得した銘柄と同じ銘柄を含む紙データ１７が記憶部１６に記憶されていない場合にのみ、測定部２２による記録媒体の分光特性の測定を行うので、ユーザによる処理の簡易化を図りつつ、且つ最適な色変換プロファイルを選択することができる。
【００７１】
なお、画像処理装置１２の制御部２６では、上記図３を用いて説明した画像処理の手順において、さらに、画像形成対象の記録媒体の用紙種が普通紙または再生紙である場合と、普通紙及び再生紙ではない場合と、で異なる処理を行ってもよい。この場合には、取得部２８は、入力部１８を介して、坪量及び銘柄と共に、さらに用紙種を必ず取得するようにすればよい。具体的には、表示部２０に、画像形成対象の記録媒体の、坪量、銘柄、及び用紙種を示す情報の入力を促す情報を表示して、ユーザによる入力部１８の操作指示によって、坪量、銘柄、及び用紙種を示す情報を取得部２８で取得するようにすればよい。
【００７２】
図４は、用紙種の判断を更に行う場合に、制御部２６で実行する画像処理の手順を示すフローチャートである。なお、図４に示すフローチャートは、図３に示すフローチャートにおける、ステップＳ１０２の否定判断（ステップＳ１０２：Ｎｏ）の後で且つステップＳ１１４の処理前に、ステップＳ２１３の判断処理を行う以外は、図３に示すフローチャートと同一である。このため、異なる部分のみ説明する。
【００７３】
図４に示す画像処理では、切替部３２が、取得部２８で取得された坪量と同じ坪量を含む標準データ１６Ａが切替部３２によって抽出されたか否かを判断する（ステップＳ１０２）。ステップＳ１０２で肯定判断すると（ステップＳ１０２：Ｙｅｓ）、ステップＳ１０４へ進む。一方、ステップＳ１０２で否定判断すると（ステップＳ１０２：Ｎｏ）、ステップＳ２１３へ進む。
【００７４】
ステップＳ２１３では、切替部３２は、取得部２８で取得された用紙種が、普通紙または再生紙であるか、普通紙及び再生紙以外であるか、を判断する（ステップＳ２１３）。取得部２８で取得された用紙種が、普通紙及び再生紙以外である場合には、否定判断し（ステップＳ２１３：Ｎｏ）、上記ステップＳ１０４へ進む。このため、第１設定部４０が有効に設定される。
【００７５】
一方、取得部２８で取得された用紙種が、普通紙または再生紙である場合には、肯定判断し（ステップＳ２１３：Ｙｅｓ）、上記ステップＳ１１４へ進む。このため、上述したステップＳ１１４〜ステップＳ１１８の判断を経由することによって、第１設定部４０または第２設定部４２が有効に設定される。
【００７６】
ここで、普通紙や再生紙においては、銘柄が同じであっても、坪量が異なる場合には、記録媒体の分光特性は明らかに異なる。一方、コート紙やマット紙においては、銘柄が同じであれば、坪量が異なっていても記録媒体の分光特性は同一または略同一となる。これは、コート紙やマット紙は、再生紙や普通紙に比べて高品質が要求されるため、同じ銘柄であれば坪量が同一または略同一となるように製造されるためである。
【００７７】
そこで、画像形成対象の記録媒体の用紙種が普通紙または再生紙以外である場合には、第１設定部４０を有効に設定し、普通紙または再生紙である場合には、上述したステップＳ１１４〜ステップＳ１１８の判断を経由することによって、第１設定部４０または第２設定部４２を有効に設定する。この処理を行うことによって、更に、最適な色変換プロファイルを選択することができる。
【００７８】
なお、上記実施の形態では、記憶部１６が、標準データ１６Ａ及び用紙データ１６Ｂを紙データ１７として記憶する場合を説明したが、外部装置に、標準データ１６Ａ、または標準データ１６Ａ及び用紙データ１６Ｂの少なくとも一部を記憶してもよい。
【００７９】
図５は、画像処理システム１０Ａを示す模式図である。図５に示すように、画像処理システム１０Ａは、画像処理装置１２、画像形成装置１４、及びサーバー６０を備える。これらの画像処理装置１２、画像形成装置１４、及びサーバー６０は、ネットワーク６２等の通信回線を介して接続されている。
【００８０】
サーバー６０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、標準データ１６Ａ、及び用紙データ１６Ｂの少なくとも一部を記憶する。
【００８１】
この場合には、画像処理装置１２の制御部２６の抽出部３０では、記憶部１６に替えて、サーバー６０から紙データ１７を抽出すればよい。また、作成部３６では、作成した用紙データ１６Ｂを、記憶部１６に替えてサーバー６０に記憶すればよい。なお、作成部３６は、作成した用紙データ１６Ｂの内、第２設定部４２で設定された色変換プロファイルを用いて作成した用紙データ１６Ｂは記憶部１６に記憶し、第３設定部４４で設定された色変換プロファイルを用いて作成した用紙データ１６Ｂはサーバー６０に記憶してもよい。
【００８２】
このように、標準データ１６Ａ及び用紙データ１６Ｂの少なくとも一部を、サーバー６０に記憶することで、複数の画像処理装置１２をネットワーク６２に接続した場合に情報共有を図ることができる。また、標準データ１６Ａを一元管理することができ、標準データ１６Ａの変更や追加が容易となる。また、サーバー６０に紙データ１７を記憶することで、銘柄が同じで且つ異なる坪量の紙データ１７の存在確率が高くなる。このため、測定部２２による記録媒体の分光特性の測定を必要とする場合（すなわち、第３設定部４４を有効とする場合）が減り、よりユーザの負担の軽減を図ることができる。
【００８３】
なお、上述した本実施の形態の画像処理装置１２は、ＣＰＵなどの制御装置と、ＲＯＭやＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００８４】
また、本実施の形態の画像処理装置１２における画像処理を実行するための画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８５】
また、本実施の形態の画像処理装置１２における画像処理を実行するための画像処理プログラムを、インターネット等のネットワークに接続されたコンピュータ上に格納し、ネットワーク経由でダウンロードさせることにより提供するように構成してもよい。また、本実施の形態の画像処理装置１２における画像処理を実行するための画像処理プログラムをインターネット等のネットワーク経由で提供または配布するように構成してもよい。また、本実施の形態の画像処理装置１２における画像処理を実行するための画像処理プログラムを、ＲＯＭ等に予め組み込んで提供するように構成してもよい。
【００８６】
本実施の形態の画像処理装置１２における画像処理を実行するための画像処理プログラムは、上述した各部（取得部２８、抽出部３０、切替部３２、設定部３４（第１設定部４０、第２設定部４２（決定部４２Ａ、出力部４２Ｂ、設定部４２Ｃ）、第３設定部４４（取得部４４Ａ、選択部４４Ｂ、設定部４４Ｃ））、作成部３６、印刷処理部３８（取得部４６、色変換部４８、色変換部５０、出力部５２））を含むモジュール構成となっており、実際のハードウェアとしてはＣＰＵ（プロセッサ）が上記記憶媒体から画像処理プログラムを読み出して実行することにより上記各部が主記憶装置上にロードされ、上記各部が主記憶装置上に生成されるようになっている。
【００８７】
以上、本発明の一適用例としての実施の形態を具体的に説明したが、本発明は、上記の実施の形態そのままに限定されるものではなく、実施段階ではその要旨を逸脱しない範囲で様々な変形や変更を加えて具体化することができる。例えば、上記の実施の形態では、画像処理装置１２と画像形成装置１４とは別の装置として実現する構成を説明したが、画像処理装置１２の一部または全部の機能を、画像形成装置１４に内蔵させた構成を採用するようにしてもよい。
【符号の説明】
【００８８】
１０、１０Ａ  画像処理システム
１２  画像処理装置
１４  画像形成装置
１６  記憶部
２２  測定部
２６  制御部
２８  取得部
３０  抽出部
３２  切替部
３４  設定部
３６  作成部
３８  印刷処理部
４０  第１設定部
４２  第２設定部
４２Ａ  決定部
４２Ｂ  出力部
４２Ｃ  設定部
４４Ａ  取得部
４４Ｂ  選択部
４４Ｃ  設定部
６０  サーバー
【先行技術文献】
【特許文献】
【００８９】
【特許文献１】特開２００８−２７８１５２号公報
【図１】
2013162242.tif 000003
【図２】
2013162242.tif 000004
【図３】
2013162242.tif 000005
【図４】
2013162242.tif 000006
【図５】
2013162242.tif 000007